(57)【要約】【課題】天井下地材の下側に複数のリブ付き天井仕上げ材を並設した天井構造において、釘やビス等の固定具を天井仕上げ面に露出させないようにして見栄えを良好にする。【解決手段】天井仕上げ材１０は、方形状の基板１１の下面に複数のリブ部材１２を固定してなる。基板１１の一端部に第１張出片１４が形成され、基板１１の他端部に第２張出片１６が形成され、第１張出片１４と一端部側リブ部材１２Ａのはみ出し部１７との間に凹溝１８が形成されている。隣接する天井仕上げ材１０、１０において、一方の天井仕上げ材１０の凹溝１８へ他方の天井仕上げ材１０の第２張出片１６が差し込まれて、一方の天井仕上げ材１０の第１張出片１４を天井下地材１に止め付けた釘４０の頭部が、他方の天井仕上げ材１０の第２張出片１６によって覆い隠されている。【選択図】図５
2014029085.tif 000002
【特許請求の範囲】
【請求項１】
天井下地材（１）の下側に複数の天井仕上げ材（１０）が並設された建物の天井構造であって、前記天井仕上げ材（１０）は、方形状の基板（１１）と、この基板（１１）の下面に固定されて、互いに平行に配された複数のリブ部材（１２）とを備え、前記基板（１１）の一端部に、その一端面（１３）上部から外側へ張り出した第１張出片（１４）が形成され、前記基板（１１）の他端部に、その他端面（１５）下部から外側へ張り出した第２張出片（１６）が形成され、前記基板（１１）の一端部に沿った一端部側リブ部材（１２Ａ）は、その一部が前記基板（１１）の一端面（１３）よりも外側へはみ出すように配置され、前記基板（１１）の他端部に沿った他端部側リブ部材（１２Ｂ）は、前記基板（１１）の他端面（１５）よりも内側に位置するように配置され、前記第１張出片（１４）と前記一端部側リブ部材（１２Ａ）のはみ出し部（１７）との間に、横方向に開放する凹溝（１８）が形成されていて、隣接する天井仕上げ材（１０）（１０）において、一方の天井仕上げ材（１０）の凹溝（１８）へ他方の天井仕上げ材（１０）の第２張出片（１６）が差し込まれたことを特徴とする建物の天井構造。
【請求項２】
前記一方の天井仕上げ材（１０）の第１張出片（１４）を前記天井下地材（１）に止め付けた固定具（４０）が、前記他方の天井仕上げ材（１０）の第２張出片（１６）によって覆い隠された請求項１記載の建物の天井構造。
【請求項３】
前記一方の天井仕上げ材（１０）の第１張出片（１４）と前記他方の天井仕上げ材（１０）の第２張出片（１６）との重合部分が、固定具（４０）によって前記天井下地材（１）に止め付けられた請求項１記載の建物の天井構造。
【請求項４】
前記一方の天井仕上げ材（１０）の一端部側リブ部材（１２Ａ）と前記他方の天井仕上げ材（１０）の他端部側リブ部材（１２Ｂ）との間に生じる凹所（１９）の横幅が、その他のリブ部材（１２）間に生じる凹所（１９）の横幅と同等とされた請求項１乃至３のいずれかに記載の建物の天井構造。
【請求項５】
照明機器（３０）を装着する照明用天井仕上げ材（２０）を備え、この照明用天井仕上げ材（２０）は、前記照明機器（３０）を嵌め込むための嵌合孔（２１ａ）を有する方形状の基板（２１）と、この基板（２１）の下面に固定されて、前記基板（２１）の一端部に沿って配された一端部側リブ部材（２２Ａ）とを備え、前記基板（２１）の一端部に、その一端面（２３）上部から外側へ張り出した第１張出片（２４）が形成され、前記基板（２１）の他端部に、その他端面（２５）下部から外側へ張り出した第２張出片（２６）が形成され、前記一端部側リブ部材（２２Ａ）は、その一部が前記基板（２１）の一端面（２３）よりも外側へはみ出すように配置され、前記第１張出片（２４）と前記一端部側リブ部材（２２Ａ）のはみ出し部（２７）との間に、横方向に開放する凹溝（２８）が形成され、前記照明用天井仕上げ材（２０）の第２張出片（２６）が隣接する前記天井仕上げ材（１０）の凹溝（１８）へ差し込まれ、前記照明用天井仕上げ材（２０）の凹溝（２８）へ隣接する前記天井仕上げ材（１０）の第２張出片（１６）が差し込まれた請求項１乃至４のいずれかに記載の建物の天井構造。
【発明の詳細な説明】
【技術分野】
【０００１】
この発明は、主として住宅やマンションにおけるリビング、ダイニング、和室や玄関等に適用される天井構造に関する。
【背景技術】
【０００２】
従来より、例えば特許文献１に開示されているように、天井下地材の下側に複数のリブ付き天井仕上げ材を並設することで、天井仕上げ面を凹凸状にしてインテリア性を高めるようにした天井構造が知られている。
【０００３】
この天井構造に用いられる天井仕上げ材５０は、図９に示すように、方形状の基板５１と、この基板５１の下面に固定されて、互いに平行に配された複数のリブ部材５２とを備えている。また、基板５１の一端部に沿った一端部側リブ部材５２Ａは、その一部が基板５１の一端面よりも外側へはみ出すように配置され、基板５１の他端部に沿った他端部側リブ部材５２Ｂは、基板５１の他端面よりも内側に位置するように配置されている。
【０００４】
そして、図１０に示すように、隣接する天井仕上げ材５０、５０において、一方の天井仕上げ材５０の一端部が釘６０の打ち込みによって天井下地材６１に止め付けられ、一方の天井仕上げ材５０における一端部側リブ部材５２Ａのはみ出し部５３と天井下地材６１との間に生じる凹溝５４へ他方の天井仕上げ材５０の他端部が差し込まれている。これにより、隣接する天井仕上げ材５０、５０の端部間に生じる目地部分を一端部側リブ部材５２Ａによって覆い隠して、目地処理を不要とすることができ、しかも天井仕上げ材５０の他端部を釘６０の打ち込みによって天井下地材６１に止め付けなくて済むことから、施工の簡略化を図ることができる。
【先行技術文献】
【特許文献】
【０００５】
【特許文献１】特許第３３５９２６２号公報
【発明の概要】
【発明が解決しようとする課題】
【０００６】
しかしながら、上記のような天井構造においては、天井仕上げ材５０の一端部を天井下地材６１に止め付けた釘６０の頭部が天井仕上げ面に露出して、見栄えを損なうといった不具合があった。
【０００７】
また、天井仕上げ材５０の他端部は、凹溝５４へ差し込まれているだけであるから、寸法誤差や施工誤差によって天井仕上げ材５０にガタツキが生じ易くなるといった不具合があった。かといって、天井仕上げ材５０を安定して取り付けるために、天井仕上げ材５０の一端部だけでなく他端部においても、釘６０の打ち込みによって天井下地材６１にしっかりと止め付けるようにすれば、施工が煩雑になるといった不具合があった。
【０００８】
この発明は、上記の不具合を解消して、天井下地材の下側に複数のリブ付き天井仕上げ材を並設した天井構造において、釘やビス等の固定具を天井仕上げ面に露出させないようにして見栄えを良好にしたり、施工の簡略化を図りながらも天井仕上げ材を安定して取り付けることを目的とする。
【課題を解決するための手段】
【０００９】
上記課題を解決するため、この発明の建物の天井構造は、天井下地材１の下側に複数の天井仕上げ材１０が並設されたものであって、前記天井仕上げ材１０は、方形状の基板１１と、この基板１１の下面に固定されて、互いに平行に配された複数のリブ部材１２とを備え、前記基板１１の一端部に、その一端面１３の上部から外側へ張り出した第１張出片１４が形成され、前記基板１１の他端部に、その他端面１５の下部から外側へ張り出した第２張出片１６が形成され、前記基板１１の一端部に沿った一端部側リブ部材１２Ａは、その一部が前記基板１１の一端面１３よりも外側へはみ出すように配置され、前記基板１１の他端部に沿った他端部側リブ部材１２Ｂは、前記基板１１の他端面１５よりも内側に位置するように配置され、前記第１張出片１４と前記一端部側リブ部材１２Ａのはみ出し部１７との間に、横方向に開放する凹溝１８が形成されていて、隣接する天井仕上げ材１０、１０において、一方の天井仕上げ材１０の凹溝１８へ他方の天井仕上げ材１０の第２張出片１６が差し込まれたことを特徴とする。
【００１０】
そして、前記一方の天井仕上げ材１０の第１張出片１４を前記天井下地材１に止め付けた固定具４０が、前記他方の天井仕上げ材１０の第２張出片１６によって覆い隠されている。
【００１１】
また、前記一方の天井仕上げ材１０の第１張出片１４と前記他方の天井仕上げ材１０の第２張出片１６との重合部分が、固定具４０によって前記天井下地材１に止め付けられている。
【００１２】
さらに、前記一方の天井仕上げ材１０の一端部側リブ部材１２Ａと前記他方の天井仕上げ材１０の他端部側リブ部材１２Ｂとの間に生じる凹所１９の横幅が、その他のリブ部材１２間に生じる凹所１９の横幅と同等とされている。
【００１３】
さらにまた、照明機器３０を装着する照明用天井仕上げ材２０を備え、この照明用天井仕上げ材２０は、前記照明機器３０を嵌め込むための嵌合孔２１ａを有する方形状の基板２１と、この基板２１の下面に固定されて、前記基板２１の一端部に沿って配された一端部側リブ部材２２Ａとを備え、前記基板２１の一端部に、その一端面２３の上部から外側へ張り出した第１張出片２４が形成され、前記基板２１の他端部に、その他端面２５の下部から外側へ張り出した第２張出片２６が形成され、前記一端部側リブ部材２２Ａは、その一部が前記基板２１の一端面２３よりも外側へはみ出すように配置され、前記第１張出片２４と前記一端部側リブ部材２２Ａのはみ出し部２７との間に、横方向に開放する凹溝２８が形成され、前記照明用天井仕上げ材２０の第２張出片２６が隣接する前記天井仕上げ材１０の凹溝１８へ差し込まれ、前記照明用天井仕上げ材２０の凹溝２８へ隣接する前記天井仕上げ材１０の第２張出片１６が差し込まれている。
【発明の効果】
【００１４】
この発明の天井構造によれば、天井仕上げ材の一端部に、第１張出片と一端部側リブ部材のはみ出し部との間に凹溝を形成するとともに、天井仕上げ材の他端部に、第２張出片を形成して、隣接する天井仕上げ材において、一方の天井仕上げ材の凹溝へ他方の天井仕上げ材の第２張出片を差し込むようにしている。
【００１５】
これにより、一方の天井仕上げ材の第１張出片を天井下地材に止め付けた固定具を、凹溝へ差し込んだ他方の天井仕上げ材の第２張出片によって覆い隠すことが可能となり、このようにすることで、固定具を天井仕上げ面に露出させないようにして、見栄えを良好にすることができる。
【００１６】
また、一方の天井仕上げ材の第１張出片と他方の天井仕上げ材の第２張出片との重合部分を、固定具によって天井下地材に止め付けることも可能となり、このようにすることで、第１張出片及び第２張出片を同時に、天井下地材にしっかりと止め付けることができ、施工の簡略化を図りながらも、天井仕上げ材を安定して取り付けることができる。
【００１７】
さらに、各リブ部材間に生じる凹所の横幅を同じにする（各リブ部材を等間隔に配置する）ことで、天井仕上げ面全体に亘って外観を統一して、デザイン性の向上を図ることができる。
【００１８】
さらにまた、照明機器を装着するための照明用天井仕上げ材を、一般部の天井仕上げ材と同様に並設可能とすることで、外観に違和感を生じさせたり、特別な施工を強いられることなく、天井仕上げ面に照明機器を設置することができる。
【図面の簡単な説明】
【００１９】
【図１】この発明の一実施形態に係る天井構造の斜視図である。
【図２】天井構造の部分縦断面図である。
【図３】天井仕上げ材を示す図である。
【図４】照明用天井仕上げ材を示す図である。
【図５】隣接する天井仕上げ材の接続状態を示す縦断面図である。
【図６】天井仕上げ材と照明用天井仕上げ材との接続状態を示す縦断面図である。
【図７】隣接する天井仕上げ材の他の接続状態を示す縦断面図である。
【図８】天井仕上げ材と照明用天井仕上げ材との他の接続状態を示す縦断面図である。
【図９】従来の天井構造に用いられる天井仕上げ材を示す図である。
【図１０】従来の隣接する天井仕上げ材の接続状態を示す縦断面図である。
【発明を実施するための形態】
【００２０】
以下、この発明の実施形態を図面に基づいて詳細に説明する。この発明の一実施形態に係る天井構造は、住宅やマンションにおけるリビング、ダイニング、和室や玄関等に適用されるものであって、図１及び図２に示すように、天井下地材１の下側に複数の天井仕上げ材１０及び照明用天井仕上げ材２０が並設されている。
【００２１】
天井下地材１は、梁等の構造材に吊り下げ支持された複数の野縁受け２と、これら野縁受け２の下面に跨って取り付けられた複数の野縁３と、これら野縁３の下面に跨って取り付けられた複数の天井下地板４とを備え、天井下地板４の下面には複数の帯板状の下地木５が小間隔で固定されていて、これら下地木５に対して天井仕上げ材１０及び照明用天井仕上げ材２０が取り付けられている。なお、下地木５を廃止して、天井下地板４の下面に天井仕上げ材１０及び照明用天井仕上げ材２０を直接張り付けるようにしても良い。
【００２２】
天井仕上げ材１０は、図３に示すように、略長方形状の基板１１と、この基板１１の下面に固定されて、基板１１の長手方向に沿って互いに平行に配された複数のリブ部材１２とを備えている。
【００２３】
基板１１の長手方向に沿った一端部には、その一端面１３の上半部から外側（側方）へ張り出した第１張出片１４が形成され、基板１１の長手方向に沿った他端部には、その他端面１５の下半部から外側（側方）へ張り出した第２張出片１６が形成されている。なお、第１張出片１４と第２張出片１６とは、その厚み及び張出量が同じになっている。
【００２４】
複数のリブ部材１２のうち、基板１１の一端部に沿った一端部側リブ部材１２Ａは、その一部が基板１１の一端面１３よりも外側（側方）へはみ出すように配置され、基板１１の他端部に沿った他端部側リブ部材１２Ｂは、基板１１の他端面１５よりも内側に位置するように配置されている。そして、第１張出片１４と一端部側リブ部材１２Ａのはみ出し部１７との間に、横方向に開放する凹溝１８が形成されている。なお、一端部側リブ部材１２Ａのはみ出し量は、第１張出片１４の張出量よりも小さくなっている。
【００２５】
照明用天井仕上げ材２０は、図４に示すように、ダウンライト等の照明機器３０を嵌め込むための嵌合孔２１ａが中央付近に形成された略正方形状の基板２１と、この基板２１の下面に固定されて、基板２１の一端部に沿って配された一端部側リブ部材２２Ａとを備えている。
【００２６】
基板２１の一端部には、その一端面２３の上半部から外側（側方）へ張り出した第１張出片２４が形成され、基板２１の他端部には、その他端面２５の下半部から外側（側方）へ張り出した第２張出片２６が形成されている。なお、第１張出片２４と第２張出片２６とは、その厚み及び張出量が同じになっている。
【００２７】
一端部側リブ部材２２Ａは、その一部が基板２１の一端面２３よりも外側（側方）へはみ出すように配置されている。そして、第１張出片２４と一端部側リブ部材２２Ａのはみ出し部２７との間に、横方向に開放する凹溝２８が形成されている。なお、一端部側リブ部材２２Ａのはみ出し量は、第１張出片２４の張出量よりも小さくなっている。
【００２８】
上記構成の天井仕上げ材１０及び照明用天井仕上げ材２０の並設に際しては、以下のような施工を行っている。すなわち、図５に示すように、隣接する天井仕上げ材１０、１０において、一方の天井仕上げ材１０の第１張出片１４を、固定具としての釘４０の打ち込みによって天井下地材１の下地木５に止め付けて、一方の天井仕上げ材１０の凹溝１８へ他方の天井仕上げ材１０の第２張出片１６を差し込むことで、第２張出片１６を支持するとともに、この第２張出片１６によって一方の天井仕上げ材１０の第１張出片１４を止め付けた釘４０の頭部を覆い隠している。この状態において、一方の天井仕上げ材１０の一端部側リブ部材１２Ａと他方の天井仕上げ材１０の他端部側リブ部材１２Ｂとの間に生じる凹所１９の横幅が、その他のリブ部材間に生じる凹所１９の横幅と同等となっている。
【００２９】
また、照明用天井仕上げ材２０においては、図６に示すように、第２張出片２６を隣接する天井仕上げ材１０の凹溝１８へ差し込むことで、第２張出片２６を支持するとともに、この第２張出片２６によって天井仕上げ材１０の第１張出片１４を止め付けた釘４０の頭部を覆い隠している。また、第１張出片２４を、固定具としての釘４０の打ち込みによって天井下地材１の下地木５に止め付けて、凹溝２８へ隣接する天井仕上げ材１０の第２張出片１６を差し込むことで、第２張出片１６を支持するとともに、この第２張出片１６によって第１張出片２４を止め付けた釘４０の頭部を覆い隠している。この状態において、照明用天井仕上げ材２０の一端部側リブ部材２２Ａと天井仕上げ材１０の他端部側リブ部材１２Ｂとの間に生じる凹所１９の横幅が、その他のリブ部材１２間に生じる凹所１９の横幅と同等となっている。
【００３０】
なお、図示しないが、天井周端部に位置する天井仕上げ材１０の端部は、見切り材によって支持されている。また、各天井仕上げ材１０及び照明用天井仕上げ材２０は、天井下地材１の下地木５に接着剤によって接着されている。
【００３１】
このようにして天井仕上げ材１０及び照明用天井仕上げ材２０の並設することで、釘４０の頭部を天井仕上げ面において露出させないようにして、見栄えを良好にすることができる。しかも、照明用天井仕上げ材２０の平坦下面を除く天井仕上げ面全体に亘って、リブ部材１２、１２Ａ、１２Ｂ、２２Ａが等間隔に配置されることになって、デザイン性の向上を図ることができる。
【００３２】
上記実施形態においては、各天井仕上げ材１０及び照明用天井仕上げ材２０の並設に際して、一端部の第１張出片１４、２４を釘４０によって止め付けて、他端部の第２張出片１６、２６を凹溝１８、２８へ差し込んで支持していたが、これに代えて、図７及び図８に示すように、第２張出片１６、２６を凹溝１８、２８へ差し込んだ状態において、第１張出片１４、２４と第２張出片１６、２６とが重なり合った重合部分を、釘４０の打ち込みによって天井下地材１に止め付けるようにしても良い。
【００３３】
この場合、釘４０の頭部が天井仕上げ面において露出することになるが、一端部の第１張出片１４、２４だけでなく他端部の第２張出片１６、２６においても、釘４０の打ち込みによって天井下地材１にしっかりと止め付けて、各天井仕上げ材１０及び照明用天井仕上げ材２０を安定して取り付けることができ、しかも第１張出片１４、２４及び第２張出片１６、２６を同時に止め付けることから、施工が煩雑になることもない。
【００３４】
以上に、この発明の実施形態について説明したが、この発明は、上記実施形態に限定されるものではなく、この発明の範囲内で種々変更して実施することが可能である。
【符号の説明】
【００３５】
１・・天井下地材、１０・・天井仕上げ材、１１、２１・・基板、１２・・リブ部材、１２Ａ、２２Ａ・・一端部側リブ部材、１２Ｂ・・他端部側リブ部材、１３、２３・・一端面、１４、２４・・第１張出片、１５、２５・・他端面、１６、２６・・第２張出片、１７、２７・・はみ出し部、１８、２８・・凹溝、１９・・凹所、２０・・照明用天井仕上げ材、２１ａ・・嵌合孔、３０・・照明機器、４０・・固定具
【図１】
2014029085.tif 000003
【図２】
2014029085.tif 000004
【図３】
2014029085.tif 000005
【図４】
2014029085.tif 000006
【図５】
2014029085.tif 000007
【図６】
2014029085.tif 000008
【図７】
2014029085.tif 000009
【図８】
2014029085.tif 000010
【図９】
2014029085.tif 000011
【図１０】
2014029085.tif 000012